(57)【要約】【課題】反転経路から再給紙された用紙に転写する画像の位置精度を向上させる。【解決手段】画像形成装置１００によれば、反転経路Ｒ２に配置され、用紙Ｐの側端部の位置を検知する第２の位置検知センサー６３を備え、制御部１１は、第２の位置検知センサー６３による検知結果に基づいて、反転経路Ｒ２から再給紙された用紙Ｐを二次転写ローラー９に向けて搬送する際のレジストローラー２７の揺動制御を行う。【選択図】図４
2019026430.tif 000002
【特許請求の範囲】
【請求項１】
用紙に画像を転写する転写部と、
前記転写部により転写された画像を前記用紙に定着させる定着部と、
前記用紙を前記転写部及び前記定着部に搬送する画像形成経路と、
前記画像形成経路に配置され、前記用紙を前記転写部に向けて搬送する一対のローラーにより構成される揺動ローラーと、
前記画像形成経路における前記定着部の下流において前記画像形成経路から分岐し、前記転写部及び前記定着部により第１面の画像形成が終了した前記用紙の表裏を反転させて前記画像形成経路に再給紙する反転経路と、
前記反転経路に配置され、前記用紙の側端部の位置を検知する検知部と、
前記検知部による検知結果に基づいて、前記反転経路から再給紙された前記用紙を前記転写部に向けて搬送する際の前記揺動ローラーの揺動制御を行う制御部と、
を備える画像形成装置。
【請求項２】
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
を備え、
前記検知部は、前記反転ローラーにより搬送方向が転換された後の前記用紙の搬送方向における前記反転ローラーの下流側に配置されている請求項１に記載の画像形成装置。
【請求項３】
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
前記第２経路に備えられ、前記用紙を前記画像形成経路に再給紙する前に一旦停止させた後、前記用紙を前記画像形成経路に搬送する搬送ローラーと、
を備え、
前記検知部は、前記搬送ローラーの下流側に配置されている請求項１に記載の画像形成装置。
【請求項４】
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させるための屈曲部を有し、前記屈曲部により前記用紙の表裏を反転させて前記画像形成経路に再給紙する第２経路と、
を備え、
前記検知部は、前記屈曲部、前記屈曲部の下流側又は前記屈曲部の前後に設けられている請求項１に記載の画像形成装置。
【請求項５】
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
前記画像形成経路から分岐した前記第１経路を前記画像形成経路に再度合流させるための合流経路と、
を備え、
前記検知部は、前記合流経路に備えられている請求項１に記載の画像形成装置。
【請求項６】
前記検知部を複数備え、
前記制御部は、複数の前記検知部による検知結果に基づいて、前記反転経路から再給紙された前記用紙を前記転写部に向けて搬送する際の前記揺動ローラーの揺動制御を行う請求項１に記載の画像形成装置。
【請求項７】
前記制御部は、前記検知部による検知結果に基づいて、前記揺動ローラーの揺動制御情報を決定し、決定した揺動制御情報に基づいて、前記揺動ローラーの揺動制御を行う請求項１〜６のいずれか一項に記載の画像形成装置。
【請求項８】
前記検知部は、前記用紙の前記画像が転写された面の側に配置され、前記用紙の側端部の位置及び前記用紙における前記画像の位置を検知し、
前記制御部は、前記検知部により検知された前記用紙の側端部の位置及び前記用紙における前記画像の位置に基づいて、前記揺動制御情報を決定する請求項７に記載の画像形成装置。
【請求項９】
前記制御部は、さらに、用紙搬送に係る条件に応じて前記揺動制御情報を決定する請求項７又は８に記載の画像形成装置。
【請求項１０】
前記制御部は、前記検知部による検知結果に基づいて、前記揺動ローラーを揺動させる複数のタイミング毎の前記揺動制御情報をそれぞれ決定する請求項７〜９のいずれか一項に記載の画像形成装置。
【請求項１１】
前記揺動ローラーは、前記用紙の搬送方向に直交する方向に揺動する請求項１〜１０のいずれか一項に記載の画像形成装置。
【請求項１２】
用紙に画像を転写する転写部と、
前記転写部により転写された画像を前記用紙に定着させる定着部と、
前記用紙を前記転写部及び前記定着部に搬送する画像形成経路と、
前記画像形成経路に配置され、前記用紙を前記転写部に向けて搬送する一対のローラーにより構成される揺動ローラーと、
前記画像形成経路における前記定着部の下流において前記画像形成経路から分岐し、前記転写部及び前記定着部により第１面の画像形成が終了した前記用紙の表裏を反転させて前記画像形成経路に再給紙する反転経路と、
を備える画像形成装置における揺動ローラーの制御方法であって、
前記反転経路に配置された前記用紙の側端部の位置を検知する検知部による検知結果に基づいて、前記反転経路から再給紙された前記用紙を前記転写部に向けて搬送する際の前記揺動ローラーの揺動制御を行う制御方法。
【発明の詳細な説明】
【技術分野】
【０００１】
本発明は、画像形成装置及び制御方法に関する。
【背景技術】
【０００２】
近年、プリンターやスキャナー、コピー機、ファックス等の機能を兼ねた多機能な画像形成装置が広く使用されている。画像形成装置では、画像形成時において給紙部や反転経路から転写部に用紙が搬送されるが、装置の機械的な要因等により、用紙が搬送方向に対して直交する方向（以下、用紙幅方向という場合もある）に片寄ってしまう場合がある。このように用紙の片寄りが発生した状態で印刷処理を行った場合には、用紙に対する画像の形成位置が本来の適正位置からずれてしまうという問題が発生する。
【０００３】
そこで、用紙の片寄りを考慮して画像と用紙とを精度良く位置合わせするために、レジストローラーにて用紙を挟持して用紙幅方向に揺動することで用紙の片寄りを補正するレジスト揺動補正が行われている。
例えば、特許文献１には、二次転写ローラーの上流側にレジストローラーを配置すると共にこのレジストローラーの下流側であって二次転写ローラーの上流側にラインセンサーを配置し、ラインセンサーで検知された用紙の側端部の位置に基づいて用紙を用紙幅方向に揺動することで用紙の片寄りを補正する画像形成装置が開示されている。
【先行技術文献】
【特許文献】
【０００４】
【特許文献１】特開２０１３−９１５６３号公報
【発明の概要】
【発明が解決しようとする課題】
【０００５】
ところで、両面印刷を行う場合、第１面に対する画像形成を終えた用紙は反転経路に搬送されて表裏が反転された後、再給紙され、再度レジストローラーを介して転写部へ搬送され、第２面に対して画像が転写される。しかし、特許文献１をはじめとする従来の技術では、反転経路から再給紙された用紙を転写部に搬送する際のレジスト揺動において、反転経路での搬送バラツキが考慮されていない。そのため、用紙の第２面に転写する画像の位置を用紙に対して精度良く合わせることができなかった。
【０００６】
本発明の課題は、反転経路から再給紙された用紙に転写する画像の位置精度を向上させることである。
【課題を解決するための手段】
【０００７】
上記課題を解決するため、請求項１に記載の発明の画像形成装置は、
用紙に画像を転写する転写部と、
前記転写部により転写された画像を前記用紙に定着させる定着部と、
前記用紙を前記転写部及び前記定着部に搬送する画像形成経路と、
前記画像形成経路に配置され、前記用紙を前記転写部に向けて搬送する一対のローラーにより構成される揺動ローラーと、
前記画像形成経路における前記定着部の下流において前記画像形成経路から分岐し、前記転写部及び前記定着部により第１面の画像形成が終了した前記用紙の表裏を反転させて前記画像形成経路に再給紙する反転経路と、
前記反転経路に配置され、前記用紙の側端部の位置を検知する検知部と、
前記検知部による検知結果に基づいて、前記反転経路から再給紙された前記用紙を前記転写部に向けて搬送する際の前記揺動ローラーの揺動制御を行う制御部と、
を備える。
【０００８】
請求項２に記載の発明は、請求項１に記載の発明において、
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
を備え、
前記検知部は、前記反転ローラーにより搬送方向が転換された後の前記用紙の搬送方向における前記反転ローラーの下流側に配置されている。
【０００９】
請求項３に記載の発明は、請求項１に記載の発明において、
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
前記第２経路に備えられ、前記用紙を前記画像形成経路に再給紙する前に一旦停止させた後、前記用紙を前記画像形成経路に搬送する搬送ローラーと、
を備え、
前記検知部は、前記搬送ローラーの下流側に配置されている。
【００１０】
請求項４に記載の発明は、請求項１に記載の発明において、
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させるための屈曲部を有し、前記屈曲部により前記用紙の表裏を反転させて前記画像形成経路に再給紙する第２経路と、
を備え、
前記検知部は、前記屈曲部、前記屈曲部の下流側又は前記屈曲部の前後に設けられている。
【００１１】
請求項５に記載の発明は、請求項１に記載の発明において、
前記反転経路は、
前記画像形成経路から分岐し、前記用紙を一定方向に搬送した後逆回転することにより前記用紙の搬送方向を転換させる反転ローラーを備える第１経路と、
前記反転ローラーにより搬送方向が転換された後の前記用紙の搬送方向において前記第１経路の下流側に設けられ、前記用紙の表裏を反転させて前記画像形成経路に再給紙する第２経路と、
前記画像形成経路から分岐した前記第１経路を前記画像形成経路に再度合流させるための合流経路と、
を備え、
前記検知部は、前記合流経路に備えられている。
【００１２】
請求項６に記載の発明は、請求項１に記載の発明において、
前記検知部を複数備え、
前記制御部は、複数の前記検知部による検知結果に基づいて、前記反転経路から再給紙された前記用紙を前記転写部に向けて搬送する際の前記揺動ローラーの揺動制御を行う。
【００１３】
請求項７に記載の発明は、請求項１〜６のいずれか一項に記載の発明において、
前記制御部は、前記検知部による検知結果に基づいて、前記揺動ローラーの揺動制御情報を決定し、決定した揺動制御情報に基づいて、前記揺動ローラーの揺動制御を行う。
【００１４】
請求項８に記載の発明は、請求項７に記載の発明において、
前記検知部は、前記用紙の前記画像が転写された面の側に配置され、前記用紙の側端部の位置及び前記用紙における前記画像の位置を検知し、
前記制御部は、前記検知部により検知された前記用紙の側端部の位置及び前記用紙における前記画像の位置に基づいて、前記揺動制御情報を決定する。
【００１５】
請求項９に記載の発明は、請求項７又は８に記載の発明において、
前記制御部は、さらに、用紙搬送に係る条件に応じて前記揺動制御情報を決定する。
【００１６】
請求項１０に記載の発明は、請求項７〜９のいずれか一項に記載の発明において、
前記制御部は、前記検知部による検知結果に基づいて、前記揺動ローラーを揺動させる複数のタイミング毎の前記揺動制御情報をそれぞれ決定する。
【００１７】
請求項１１に記載の発明は、請求項１〜１０のいずれか一項に記載の発明において、
前記揺動ローラーは、前記用紙の搬送方向に直交する方向に揺動する。
【００１８】
請求項１２に記載の発明は、
用紙に画像を転写する転写部と、
前記転写部により転写された画像を前記用紙に定着させる定着部と、
前記用紙を前記転写部及び前記定着部に搬送する画像形成経路と、
前記画像形成経路に配置され、前記用紙を前記転写部に向けて搬送する一対のローラーにより構成される揺動ローラーと、
前記画像形成経路における前記定着部の下流において前記画像形成経路から分岐し、前記転写部及び前記定着部により第１面の画像形成が終了した前記用紙の表裏を反転させて前記画像形成経路に再給紙する反転経路と、
を備える画像形成装置における揺動ローラーの制御方法であって、
前記反転経路に配置された前記用紙の側端部の位置を検知する検知部による検知結果に基づいて、前記反転経路から再給紙された前記用紙を前記転写部に向けて搬送する際の前記揺動ローラーの揺動制御を行う。
【発明の効果】
【００１９】
本発明によれば、反転経路から再給紙された用紙に転写する画像の位置精度を向上させることが可能となる。
【図面の簡単な説明】
【００２０】
【図１】本実施形態にかかる画像形成装置を模式的に示す構成図である。
【図２】レジストローラーによる用紙の揺動処理を説明するための図である。
【図３】図１の画像形成装置の制御系の構成を概略的に示すブロック図である。
【図４】図３の制御部により実行される揺動制御処理を示すフローチャートである。
【図５】変形例１における第２の位置検知センサーの配置例を示す図である。
【図６】変形例２における第２の位置検知センサーの配置例を示す図である。
【図７】変形例３における第２の位置検知センサーの配置例を示す図である。
【図８】副走査曲がりの一例を示す図である
【発明を実施するための形態】
【００２１】
以下、本実施形態を図面に基づいて詳細に説明する。ただし、発明の範囲は図示例に限定されない。
【００２２】
［画像形成装置１００の構成］
まず、本実施形態における画像形成装置１００の構成について説明する。
図１は、本実施形態にかかる画像形成装置１００を模式的に示す構成図である。この画像形成装置１００は、例えば複写機といった電子写真方式の画像形成装置１００であり、複数の感光体を一本の中間転写ベルトに対面させて縦方向に配列することによりフルカラーの画像を形成する、いわゆる、タンデム型カラー画像形成装置である。
【００２３】
画像形成装置１００は、原稿読取装置ＳＣ、画像形成部１０、定着装置５０、制御部１１を主体に構成され、これらが一つの筐体内に収められている。
【００２４】
原稿読取装置ＳＣは、走査露光装置の光学系により原稿の画像を走査露光し、その反射光をラインイメージセンサーにより読み取り、これにより、画像信号を得る。この画像信号は、Ａ／Ｄ変換、シェーディング補正、圧縮等の処理が施された後、画像データとして制御部１１に入力される。なお、制御部１１に入力される画像データとしては、原稿読取装置ＳＣで読み取ったものに限らず、例えば、通信部１３により画像形成装置１００に接続されたパーソナルコンピューターや他の画像形成装置から受信したものであってもよい。
【００２５】
画像形成部１０は、４組の画像形成ユニット１０Ｙ，１０Ｍ，１０Ｃ，１０Ｋ、中間転写ベルト６、二次転写ローラー９等を備えて構成されている。画像形成ユニット１０Ｙ，１０Ｍ，１０Ｃ，１０Ｋは、イエロー（Ｙ）の画像を形成する画像形成ユニット１０Ｙ、マゼンタ（Ｍ）の画像を形成する画像形成ユニット１０Ｍ、シアン（Ｃ）の画像を形成する画像形成ユニット１０Ｃ、ブラック（Ｋ）の画像を形成する画像形成ユニット１０Ｋで構成されている。
【００２６】
画像形成ユニット１０Ｙは、感光体ドラム１Ｙ及びその周辺に配置された帯電部２Ｙ、光書込部３Ｙ、現像装置４Ｙ及びドラムクリーナー５Ｙで構成されている。同様に、画像形成ユニット１０Ｍ，１０Ｃ，１０Ｋは、感光体ドラム１Ｍ，１Ｃ，１Ｋ及びその周辺に配置された帯電部２Ｍ，２Ｃ，２Ｋ、光書込部３Ｍ，３Ｃ，３Ｋ、現像装置４Ｍ，４Ｃ，４Ｋ及びドラムクリーナー５Ｍ，５Ｃ，５Ｋで構成されている。
【００２７】
感光体ドラム１Ｙ〜１Ｋは、帯電部２Ｙ〜２Ｋによりその表面が一様に帯電させられており、光書込部３Ｙ〜３Ｋによる走査露光により、感光体ドラム１Ｙ〜１Ｋには潜像が形成される。さらに、現像装置４Ｙ〜４Ｋは、トナーで現像することによって感光体ドラム１Ｙ〜１Ｋ上の潜像を顕像化する。これにより、感光体ドラム１Ｙ〜１Ｋ上には、イエロー、マゼンタ、シアン及びブラックのいずれかに対応する所定色のトナー画像が形成される。感光体ドラム１Ｙ〜１Ｋ上に形成されたトナー画像は、１次転写ローラー７Ｙ，７Ｍ，７Ｃ，７Ｋにより、回転する中間転写ベルト６上の所定位置へと逐次転写される。
【００２８】
中間転写ベルト６上に転写された各色よりなるトナー画像は、後述する用紙搬送部２０により所定のタイミングで搬送される用紙Ｐに対して、転写部としての二次転写ローラー９によって転写される。この二次転写ローラー９は中間転写ベルト６と圧接して配置されることによりニップ部（以下「転写ニップ部」という）を形成する圧接部材である。
【００２９】
用紙搬送部２０は、用紙Ｐの搬送経路に従って用紙Ｐを搬送する。搬送経路は、画像形成経路Ｒ１と反転経路Ｒ２により構成されている。画像形成経路Ｒ１は、用紙Ｐを二次転写ローラー９及び定着装置５０に搬送するための搬送経路である。反転経路Ｒ２は、定着装置５０の下流において画像形成経路Ｒ１から分岐し、第１面（表面）の画像形成が終了した用紙Ｐの表裏を反転させて画像形成経路Ｒ１に再給紙するための搬送経路である。図１において、画像形成経路Ｒ１を細線で、反転経路Ｒ２を太線で示す。
【００３０】
各搬送経路においては、用紙Ｐを搬送する複数の搬送手段が設けられている。個々の搬送手段は、圧接された一対のローラーによって構成されており、電動モーターを主体とする駆動機構を通じて少なくとも一方のローラーが回転駆動することにより用紙Ｐを搬送する。
また、個々の搬送手段を構成する一対のローラーは、ローラー間の状態を圧接状態と離間状態とで切り換えることができように構成されている。
なお、搬送手段は、一対のローラーで構成する以外にも、ベルト同士の組み合わせや、ベルト及びローラーの組み合わせといったように、一対の回転部材からなる構成を広く採用することができる。
【００３１】
用紙Ｐは給紙トレイ２１に収容されており、当該給紙トレイ２１に収容された用紙Ｐは、給紙部２２により取り込まれ、画像形成経路Ｒ１へと送り出される。あるいは、用紙Ｐは、外部給紙口８１、８２等を介して画像形成装置１００と接続された外部の給紙装置（図示せず）が有する給紙トレイに収容されており、給紙装置が保有する用紙Ｐは、当該給紙装置から外部給紙口８１又は８２を介して画像形成装置１００へと供給されることで、画像形成経路Ｒ１へと送り出される。例えば、長尺紙は、外部の給紙装置から外部給紙口８１又は８２を介して画像形成装置１００へと供給される。
【００３２】
画像形成経路Ｒ１において、給紙トレイ２１又は給紙装置の給紙トレイから給紙された用紙Ｐは、上流側から下流側に設けられた複数の中間搬送ローラー２３〜２５及びループローラー２６により順次搬送されて、画像形成経路Ｒ１を進行する。用紙Ｐの先端がレジストローラー２７へと近づくと、ループローラー２６等によって搬送される用紙Ｐは、回転停止状態のレジストローラー２７に突き当てられ、そして、ループローラー２６が所定時間だけ回転を継続することで、用紙Ｐにループが形成される。このループ形成の作用により、用紙Ｐの先端の曲がりが矯正される（スキュー補正）。
【００３３】
つぎに、中間転写ベルト６が担持するトナー画像と同期するように所定のタイミングでレジストローラー２７が回転を開始すると、中間搬送ローラー２３〜２５及びループローラー２６は、圧接状態から離間状態へと切り換えられる。すなわち、ループローラー２６が離間状態へと遷移してからは、用紙Ｐは、レジストローラー２７のみによって搬送される。このレジストローラー２７は、揺動ローラーとして、用紙Ｐの搬送を行いながら後述する揺動処理を行い、像担持体としての中間転写ベルト６と二次転写ローラー９の転写ニップ部へと用紙Ｐを搬送する。
【００３４】
レジストローラー２７は、図２に示すように、用紙幅方向ＣＤ（用紙搬送方向（副走査方向）ＦＤと直行する方向）に揺動可能に構成されている。このレジストローラー２７には、電動モーター（例えば、ステッピングモーター）を主体とする駆動機構３４が連結されており、当該駆動機構３４によって駆動されることにより、所定のホームポジションを起点として用紙幅方向ＣＤに移動することができる。
【００３５】
レジストローラー２７は、用紙Ｐが自身を通過する通過期間に合わせて用紙幅方向ＣＤに沿って移動することにより、搬送される用紙Ｐを用紙幅方向ＣＤに沿って移動させる（揺動処理）。これにより、レジストローラー２７は、転写されるトナー画像の位置と整合するように、用紙幅方向ＣＤにおける用紙Ｐの搬送位置を調整する。
【００３６】
画像形成経路Ｒ１において、レジストローラー２７とループローラー２６との間には、レジストセンサー６１が配置されている。レジストセンサー６１は、レジストセンサー６１の検知位置（レジストローラー２７の所定距離だけ手前の位置）への用紙Ｐの先端の到達を検知する。このレジストセンサー６１の検知結果は、レジストローラー２７の回転開始タイミングの検知等に用いられる。
【００３７】
また、レジストローラー２７と二次転写ローラー９の間には、第１の位置検知センサー６２が設けられている。第１の位置検知センサー６２は、例えば、複数の受光素子を用紙幅方向ＣＤに沿って直線状に配列したリニアイメージセンサー（例えばＣＣＤラインセンサー等）、光学系、光源等を備えて構成される。第１の位置検知センサー６２は、用紙Ｐの側端部の用紙幅方向ＣＤの位置を検知する。この第１の位置検知センサー６２の検知結果は、制御部１１に出力され、第１面の画像形成時の揺動処理におけるレジストローラー２７の揺動制御情報の決定等に用いられる。
【００３８】
反転経路Ｒ２は、第１経路Ｒ２１と、第２経路Ｒ２２と、合流経路Ｒ２３とを備えて構成されている。
第１経路Ｒ２１は、画像形成経路Ｒ１から分岐した経路であって、反転ローラー３１を備え、画像形成経路Ｒ１から送り出された用紙Ｐを反転ローラー３１によりそのまま一定方向（正方向）に搬送した後、反転ローラー３１が逆回転することにより用紙Ｐの搬送方向を第２経路Ｒ２２の方向に転換させる経路である。
第２経路Ｒ２２は、２つの屈曲部３５、３６を有し、用紙Ｐの表裏を反転させて第２面を上に向けた状態で画像形成経路Ｒ１に再給紙するための経路である。
合流経路Ｒ２３は、第１経路Ｒ２１を画像形成経路Ｒ１に再度合流させるための経路である。
【００３９】
用紙Ｐの第２面にも画像形成を行う場合、第１面に対する画像形成（転写及び定着）を終えた用紙Ｐは、切換ゲート３０により、反転経路Ｒ２の第１経路Ｒ２１に送り出され、第１経路Ｒ２１に沿って反転ローラー３１へと搬送される。反転ローラー３１は、用紙Ｐをそのまま一定方向（正方向）に搬送して用紙Ｐの後端を挟持した後、逆回転することにより用紙Ｐの搬送方向を第２経路Ｒ２２の方向に転換させて第２経路Ｒ２２に送り出す。なお、用紙Ｐが長尺紙である場合等、第１経路Ｒ２１では長さが足りない場合は、合流経路Ｒ２３を介して用紙Ｐの先端を画像形成経路Ｒ１まで進行させることで、用紙Ｐを第２経路Ｒ２２に送り出すことが可能となる。
第２経路Ｒ２２へと送り出された用紙Ｐは、屈曲部３５を通過することで第２面が上を向いた状態から一旦第１面が上を向いた状態となり、搬送ローラー３２で一旦停止された後、所定のタイミングで画像形成経路Ｒ１に再給紙される。このとき、用紙Ｐは、屈曲部３６を通過することにより表裏が反転され第２面が上を向いた状態で画像形成経路Ｒ１に再給紙され、レジストローラー２７を介して転写ニップ部へと搬送される。なお、排紙ローラー２８、切換ゲート３０、反転ローラー３１及び搬送ローラー３２等の再給紙用の搬送手段も前述した用紙搬送部２０を構成する。
【００４０】
反転ローラー３１の逆回転開始後の用紙搬送方向における反転ローラー３１の下流側には、第２の位置検知センサー６３が設けられている。第２の位置検知センサー６３は、例えば、複数の受光素子を用紙幅方向ＣＤに沿って直線状に配列したリニアイメージセンサー（例えばＣＣＤラインセンサー等）、光学系、光源等を備えて構成される。第２の位置検知センサー６３は、用紙Ｐの側端部の用紙幅方向ＣＤの位置を検知する検知部である。また、第２の位置検知センサー６３を用紙Ｐを画像面側に配置することで、用紙Ｐに転写されたトナー画像の画像位置を検知することができる。この第２の位置検知センサー６３の検知結果は、制御部１１に出力され、用紙Ｐの再給紙時の揺動処理におけるレジストローラー２７の揺動制御情報の決定等に用いられる。
【００４１】
定着装置５０は、トナー画像が転写された用紙Ｐ、すなわち、転写ニップ部から送り出された用紙Ｐに定着処理を施す装置であり、例えば、一対の定着部材（例えば一対のローラー）と、当該定着部材の一方又は双方を加熱するヒーターとで構成されている。この定着装置５０は、用紙Ｐの搬送過程において、一対の定着部材による加圧と定着部材の有する熱との作用を通じて、用紙Ｐへのトナー画像の定着を行う。
【００４２】
定着装置５０により定着処理が施された用紙Ｐは、排紙ローラー２８により、筐体の外部側面に取り付けられた排紙トレイ２９に排出される。また、用紙Ｐの第２面にも画像形成を行う場合、第１面に対する画像形成を終えた用紙Ｐは、切換ゲート３０により、反転経路Ｒ２に送り出される。
【００４３】
制御部１１は、図３に示すように、記憶部１２、通信部１３、操作部１４、原稿読取装置ＳＣ、画像形成部１０、用紙搬送部２０、定着装置５０、レジストセンサー６１、第１の位置検知センサー６２、第２の位置検知センサー６３、環境センサー６４等に接続されている。制御部１１は、ＣＰＵ（Central Processing Unit）、ＲＡＭ（Random Access Memory）等により構成されている。制御部１１のＣＰＵは、記憶部１２に記憶されているシステムプログラムや各種処理プログラムを読み出してＲＡＭに展開し、展開されたプログラムに従って、画像形成装置１００各部の動作を集中制御する。例えば、制御部１１は、操作部１４によりジョブ実行指令が入力されると、ジョブを実行し、原稿読取装置ＳＣや通信部１３により入力される画像データに基づいて用紙Ｐにトナー画像を形成させる制御を行う。また、制御部１１は、操作部１４により両面印刷のジョブの実行指令が入力されると、後述する揺動制御処理を実行し、ジョブ実行中のレジストローラー２７の揺動制御を行う。
【００４４】
記憶部１２は、不揮発性の半導体メモリーやＨＤＤ（Hard Disk Drive）等により構成され、制御部１１で実行される各種プログラムの他、各部で必要なパラメータやデータ等を記憶している。
【００４５】
通信部１３は、ＮＩＣ（Network Interface Card）、ＭＯＤＥＭ（Modulator-DEModulator）、ＵＳＢ（Universal Serial Bus）等の各種インターフェースを備え、外部機器との接続を行う。
【００４６】
操作部１４は、ユーザーによって設定される種々の情報を制御部１１に出力する。操作部１４としては、例えば、ディスプレイ上に表示される情報に従い、入力操作を行うことが可能なタッチパネルを用いることができる。かかる操作部１４を通じて、ユーザーは、印刷条件、すなわち、用紙Ｐの紙種、坪量、サイズ、使用する給紙トレイ、画像の濃度、倍率、両面印刷の有無などを設定することができる。また、ユーザーは、操作部１４を通じて、ジョブの実行指令等を入力することができる。また、制御部１１は、操作部１４を制御することにより、当該操作部１４を介してユーザーに種々のメッセージを表示することができる。
【００４７】
環境センサー６４は、例えば、温度センサーや湿度センサー等を備えて構成され、画像形成装置１００の筐体内の温度や湿度を検知し、検知結果を制御部１１に出力する。
【００４８】
［画像形成装置１００の動作］
次に、第１の実施形態における画像形成装置１００の動作について説明する。
図４は、レジストローラー２７の揺動動作を制御するための揺動制御処理を示すフローチャートである。このフローチャートに示す処理は、ユーザーからの両面印刷のジョブの実行指令に応じて、制御部１１と記憶部１２に記憶されているプログラムとの協働によって実行される。なお、本実施形態では、一例として、用紙Ｐの第１面の画像形成後、連続してその用紙Ｐの第２面の画像形成を行う場合について説明する。
【００４９】
ジョブが開始されると、制御部１１は、第１の位置検知センサー６２により用紙Ｐの先端が検知されるのを待機する（ステップＳ１）。
【００５０】
第１の位置検知センサー６２により用紙Ｐの先端が検知されると（ステップＳ１；ＹＥＳ）、制御部１１は、第１の位置検知センサー６２による用紙Ｐの側端部の位置の検知結果に基づいて、駆動機構３４によりレジストローラー２７を揺動させる（ステップＳ２）。例えば、制御部１１は、第１の位置検知センサー６２により検知された用紙側端部の位置と目標位置とのずれ量を算出し、算出したずれ量に基づいて、揺動制御情報（揺動量、揺動方向、揺動速度）を決定する。目標位置は、用紙Ｐの側端部がその位置を通過すれば、用紙Ｐに対してトナー画像が最適画像位置（例えば、用紙Ｐの幅方向の中央とトナー画像の幅方向の中央とが一致する位置）に転写されると見込まれる位置である。そして、決定した揺動制御情報に基づいて、駆動機構３４によりレジストローラー２７を揺動させる。
【００５１】
次いで、制御部１１は、反転ローラー３１の逆回転開始後に第２の位置検知センサー６３により用紙Ｐの先端が検知されるのを待機する（ステップＳ３）。
第２の位置検知センサー６３により用紙Ｐの先端が検知されると（ステップＳ３；ＹＥＳ）、制御部１１は、第２の位置検知センサー６３による用紙Ｐの副走査方向の複数位置における用紙側端部の位置の検知結果を取得する（ステップＳ４）。
【００５２】
次いで、制御部１１は、第２の位置検知センサー６３による検知結果に基づいて、予め定められた各揺動タイミングのレジストローラー２７の揺動制御情報を決定する（ステップＳ５）。ここで、揺動タイミングとは、レジストローラー２７を揺動させるタイミングである。本実施形態では、例えば、第２の位置検知センサー６３が用紙Ｐの先端を検知したタイミングからｔ１秒後、ｔ２秒後・・・のように、複数の揺動タイミングが（例えば、略等間隔に）予め決められている。
【００５３】
ステップＳ５において、例えば、制御部１１は、用紙Ｐの先端側の副走査方向の２点における第２の位置検知センサー６３による用紙側端部の位置（Ｘ１、Ｘ２とする）の検知結果を取得し、取得した検知結果に基づいて、用紙Ｐの傾きを算出する。そして、算出した傾きに基づいて、各揺動タイミングにおける用紙側端部の目標位置とのずれ量を算出し、算出したずれ量に基づいて、各揺動タイミングにおける揺動制御情報（揺動量、揺動方向、揺動速度）を決定する。
【００５４】
用紙Ｐの傾きは、例えば、以下の式により算出することができる。
用紙Ｐの傾き＝（Ｘ１とＸ２の用紙幅方向の差分）÷（Ｘ１〜Ｘ２間の搬送距離）
また、揺動量は、例えば、以下の式により算出することができる。
揺動量＝用紙側端部の目標位置とのずれ量×α
ここで、αは係数である。用紙Ｐの搬送状態は、用紙搬送に係る条件、例えば、用紙Ｐの紙種、坪量、環境（温度、湿度等）、紙サイズ（紙幅、紙の長さ）等によって異なるので、係数αは、用紙搬送に係る条件及び揺動タイミング（すなわち、揺動される副走査方向の位置）に応じて異なることが好ましい。また、揺動速度は、揺動量が大きくなるほど速めることが好ましい。
【００５５】
なお、第２の位置検知センサー６３は、画像面側又は非画像面側のいずれに配置してもよいが、画像面側に配置した場合、トナー画像の画像情報を取得できることから、第２の位置検知センサー６３による用紙側端部の位置及びトナー画像の位置の検知結果に基づいて、レジストローラー２７の揺動制御情報を決定してもよい。例えば、第２の位置検知センサー６３により検知された複数点における用紙側端部の位置及びトナー画像の位置の検知結果に基づいて、複数点における用紙側端部とトナー画像の距離及び傾きを算出し、算出した距離及び傾きに基づいて、各揺動タイミングにおける用紙側端部とトナー画像の距離を算出する。そして、算出した距離とトナー画像が最適画像位置に配置されたときの用紙側端部とトナー画像の距離との差分（ずれ量）をそれぞれ算出し、算出したずれ量に基づいて、各揺動タイミングにおける揺動制御情報を決定する。これにより、より精度良くトナー画像を最適画像位置に合わせ込むことができる。
【００５６】
次いで、制御部１１は、レジストローラー２７の揺動タイミングが到来するのを待機する（ステップＳ６）。揺動タイミングが到来したと判断した場合（ステップＳ６；ＹＥＳ）、制御部１１は、ステップＳ５で決定した、揺動タイミングに応じた揺動制御情報に基づいて、駆動機構３４によりレジストローラー２７を揺動させる（ステップＳ７）。
【００５７】
次いで、制御部１１は、最終の揺動タイミングでの揺動が終了したか否かを判断する（ステップＳ８）。例えば、用紙Ｐの用紙サイズと、第２の位置検知センサー６３が用紙Ｐの先端を検知してからの経過時間及び搬送速度に基づいて、最終揺動タイミングでの揺動が終了したか否かを判断する。
【００５８】
最終の揺動タイミングでの揺動が終了していないと判断した場合（ステップＳ８；ＮＯ）、制御部１１は、ステップＳ６に戻り、次の揺動タイミングを待機して、揺動タイミングが到来すると、レジストローラー２７を揺動させる処理を繰り返す。
【００５９】
最終揺動タイミングでの揺動が終了したと判断した場合（ステップＳ８；ＹＥＳ）、制御部１１は、最終ページまでの転写が終了したか否かを判断する（ステップＳ９）。
最終ページまでの転写が終了していないと判断した場合（ステップＳ９；ＮＯ）、制御部１１は、ステップＳ１に戻る。
最終ページまでの転写が終了したと判断した場合（ステップＳ９；ＹＥＳ）、制御部１１は、揺動制御処理を終了する。
【００６０】
このように、本実施形態における画像形成装置１００によれば、反転経路Ｒ２に第２の位置検知センサー６３を設け、第２の位置検知センサー６３の検知結果（用紙側端部の位置及び／又はトナー画像の位置）に基づいて、反転経路Ｒ２から再給紙された用紙Ｐを二次転写ローラー９に向けて搬送する際のレジストローラー２７の揺動を制御する。したがって、反転経路Ｒ２における用紙Ｐの搬送バラツキを吸収することができるので、反転経路Ｒ２から再給紙された用紙Ｐの第２面に転写する画像の位置精度を向上させることができる。特に、本実施形態のように、反転ローラー３１の逆回転開始後の用紙搬送方向における反転ローラー３１の下流側に第２の位置検知センサー６３を設けてその検知結果をレジストローラー２７の揺動にフィードバックすることで、反転ローラー３１による用紙Ｐの搬送方向の切り換えにより生じる紙曲りを補正することができ、反転経路Ｒ２から再給紙された用紙Ｐの第２面に転写する画像の位置精度を向上させることができる。
また、本実施形態では、制御部１１は、第２の位置検知センサー６３の検知結果に基づいて、レジストローラー２７を揺動させる複数の揺動タイミングに対応する副走査方向の各位置における用紙側端部のずれ量を算出し、算出したずれ量に基づいて、各揺動タイミングの揺動制御情報をそれぞれ決定してレジストローラー２７の揺動制御を行う。したがって、用紙Ｐの先端側と後端側で異なる揺動制御を行うことができるので、用紙Ｐが途中で曲がる副走査曲がり（図８参照）による画像位置のずれを高精度に抑制することができる。特に、長尺紙のように用紙搬送方向に長い用紙では、より効果がある。
【００６１】
（変形例１）
上記実施形態においては、反転ローラー３１の逆回転開始後の用紙搬送方向における反転ローラー３１の下流側に第２の位置検知センサー６３を備える場合を例にとり説明したが、図５に示すように、第２経路Ｒ２２における搬送ローラー３２の下流側に第２の位置検知センサー６３を備える構成としてもよい。そして、制御部１１は、図４に示す揺動制御処理と同様の処理を実行し、第２の位置検知センサー６３の検知結果に基づいて、反転経路Ｒ２から再給紙された用紙Ｐを二次転写ローラー９に向けて搬送する際のレジストローラー２７の揺動を制御することとしてもよい。これにより、搬送ローラー３２による用紙Ｐの一時停止及び再給紙による搬送バラツキを吸収し、反転経路Ｒ２から再給紙された用紙Ｐの第２面に転写する画像の位置精度を向上させることができる。
【００６２】
（変形例２）
上記実施形態においては、反転ローラー３１の逆回転開始後の用紙搬送方向における反転ローラー３１の下流側に第２の位置検知センサー６３を備える場合を例にとり説明したが、図６に示すように、第２経路Ｒ２２における屈曲部３５（又は屈曲部３５の下流側）に第２の位置検知センサー６３を備える構成としてもよい。そして、制御部１１は、図４に示す揺動制御処理と同様の処理を実行し、第２の位置検知センサー６３の検知結果に基づいて、反転経路Ｒ２から再給紙された用紙Ｐを二次転写ローラー９に向けて搬送する際のレジストローラー２７の揺動を制御することとしてもよい。これにより、用紙Ｐの屈曲部３５の通過による搬送バラツキを吸収し、反転経路Ｒ２から再給紙された用紙Ｐの第２面に転写する画像の位置精度を向上させることができる。
なお、屈曲部において用紙Ｐはガイドに沿ってほぼ同じ位置をたどるので、屈曲部３５に第２の位置検知センサー６３を設けることで、検知結果のばたつきを抑え、精度良く用紙側端部の検知を行うことが可能となる。また、第２の位置検知センサー６３を屈曲部３５の下流側に設けることで、屈曲部３５の通過による用紙Ｐの曲りが確定した後で用紙側端部の検知を行い、レジストローラー２７の揺動制御にフィードバックすることが可能となる。
【００６３】
また、屈曲部の曲率が大きいコンパクトな画像形成装置１００においては、屈曲部３５の前後のそれぞれに第２の位置検知センサー６３を配置することで、屈曲部３５を通過する際の用紙Ｐの側端部のずれ量をより正確に把握することが可能となる。例えば、屈曲部３５に対して上流側のずれ量と下流側のずれ量の差異が屈曲部３５を通過する際に受ける誤差になるため、制御部１１は、この分をキャンセルするように揺動制御情報を決定してレジストローラー２７を揺動させる。
【００６４】
（変形例３）
上記実施形態においては、反転ローラー３１の逆回転開始後の用紙搬送方向における反転ローラー３１の下流側に第２の位置検知センサー６３を備える場合を例にとり説明したが、図７に示すように、合流経路Ｒ２３に第２の位置検知センサー６３を備える構成としてもよい。そして、制御部１１は、図４に示す揺動制御処理と同様の処理を実行し、第２の位置検知センサー６３の検知結果に基づいて、反転経路Ｒ２から再給紙された用紙Ｐを二次転写ローラー９に向けて搬送する際のレジストローラー２７の揺動を制御することとしてもよい。これにより、用紙Ｐが長尺紙である場合、反転経路Ｒ２における用紙Ｐの再給紙時に後端側となる部分の搬送バラツキを吸収することができるので、反転経路Ｒ２から再給紙された用紙Ｐの第２面に転写する画像の位置精度を向上させることができる。
【００６５】
また、用紙Ｐが長尺紙である場合、用紙Ｐを第１経路Ｒ２１に沿って正方向に搬送する際、その先端は合流経路Ｒ２３を経由してレジストローラー２７に達することがある。そこで、このような場合、制御部１１は、合流経路Ｒ２３に配置した第２の位置検知センサー６３による用紙Ｐの先端における側端部の検知結果に基づいて、用紙Ｐが合流経路Ｒ２３を経由してレジストローラー２７に到達したときのレジストローラー２７の揺動制御情報を決定し、決定した揺動制御情報に基づいて、用紙Ｐが合流経路Ｒ２３を経由してレジストローラー２７に到達したときにレジストローラー２７を揺動させるよう制御してもよい。これにより、搬送方向の転換前に生じた用紙Ｐの先端側（搬送方向の転換後は後端側）の搬送バラツキを補正することができる。
【００６６】
（変形例４）
上記実施形態及び変形例１〜３において説明したいずれか複数の位置に第２の位置検知センサー６３を備える構成とし、制御部１１は、複数の第２の位置検知センサー６３の検知結果に基づいて、用紙Ｐの第２面の画像形成のための再給紙時におけるレジストローラー２７の揺動を制御することとしてもよい。例えば、複数の第２の位置検知センサー６３の位置に同時に用紙Ｐが通過するタイミングで各第２の位置検知センサー６３で用紙Ｐの側端部の検知を行い、制御部１１は、その検出結果に基づいて用紙Ｐの傾きを算出し、算出した傾きに基づいて、用紙Ｐの各揺動タイミングに対応する位置における用紙側端部の目標位置からのずれ量を算出する。そして、算出したずれ量に基づいて、上記実施形態と同様に揺動制御情報を決定し、決定した揺動制御情報に基づいて、各揺動タイミングにおける用紙Ｐの第２面の画像形成のための再給紙時におけるレジストローラー２７の揺動を制御することとしてもよい。これにより、反転経路Ｒ２における用紙Ｐの搬送バラツキを吸収することができるので、反転経路Ｒ２から再給紙された用紙Ｐの第２面に転写する画像の位置精度を向上させることができる。特に、長尺紙は、図８に示すように先端側と後端側で紙自体が変形する（たわむ）場合があるため、変形例４による手法は効果的である。なお、複数の第２の位置検知センサー６３のうちの一つの代わりに第１の位置検知センサー６２を用いることとしてもよい。
【００６７】
（変形例５）
上記実施形態及び変形例１〜４においては、第２の位置検知センサー６３による検知結果に基づいて、用紙Ｐの第２面の画像形成のための再給紙時におけるレジストローラー２７の揺動を制御することとしたが、画像形成ユニット１０Ｙ，１０Ｍ，１０Ｃ，１０Ｋによる画像書き込み位置（光書込部３Ｙ〜３Ｋによる感光体ドラム１Ｙ〜１Ｋへの画像書き込み位置）を補正する制御とレジストローラー２７の揺動制御を組み合わせてもよい。
例えば、画像形成ユニット１０Ｙ，１０Ｍ，１０Ｃ，１０Ｋによる画像書き込み位置を補正する制御を行うことで、用紙に対する画像の絶対位置を補正するようにし、その後、レジストローラー２７を揺動させる制御を行うことで、用紙Ｐの側端部のバラツキを低減させるようにしてもよい。
【００６８】
なお、第２の位置検知センサー６３による検知結果に基づいて、画像形成ユニット１０Ｙ，１０Ｍ，１０Ｃ，１０Ｋによる画像書き込み位置を補正する制御のみを行うことも考えられるが、用紙Ｐとトナー画像の位置ずれ抑制の精度を考慮すると、レジストローラー２７の揺動制御のみ、あるいは、レジストローラー２７の揺動制御と画像書き込み位置の補正とを組み合わせることが好ましい。画像書き込み位置の補正では、画像全体を走査方向にシフトさせることはできるが、用紙が途中で曲がった場合には対処できない。一方、レジストローラー２７の揺動制御では、副走査方向の各位置において（例えば、先端側と後端側で）揺動量を変更することができるので、副走査方向の各位置において用紙Ｐの側端部の位置を補正することができ、途中で紙曲りが生じた場合にも、用紙Ｐに対する画像の位置ずれをより精度良く抑制することができる。また、図１に示す第２の位置検知センサー６３の位置よりも下流側に第２の位置検知センサー６３を設けた場合、その検知結果のフィードバックが画像形成ユニット１０Ｙ，１０Ｍ，１０Ｃ，１０Ｋによる画像書き込みタイミングに間に合わないため、画像書き込み位置の補正のみで用紙Ｐに対する画像の位置ずれを抑制する場合には、第２の位置検知センサー６３の位置が図１に示す位置又はその上流に制限されるが、レジストローラー２７を揺動制御する場合は、そのような制限がないため、よりレジストローラー２７に近い位置に第２の位置検知センサー６３を配置してその検知結果をレジストローラー２７の揺動制御にフィードバックすることができる。
【００６９】
以上、本発明の実施形態及びその変形例について説明したが、上記実施形態及び変形例における記述は、本発明に係る画像形成装置の好適な一例を示すものであり、これに限定されるものではない。
【００７０】
例えば、上記実施形態においては、感光体ドラムに形成された画像を中間転写ローラーに一次転写し、中間転写ローラーから二次転写ローラーにより用紙に画像を転写するカラーの画像形成装置を例にとり説明したが、本発明は、感光体ドラムから転写ローラーにより直接用紙に画像を転写するモノクロの画像形成装置においても適用可能である。
【００７１】
また、上記実施形態においては、レジストローラー２７が用紙搬送方向に直交する方向に揺動するものとして説明したが、揺動方向は、必ずしも用紙搬送方向に直交する方向でなくてもよく、用紙送り方向を変えられれば良い。
【００７２】
また、上記実施形態においては、揺動ローラーがレジストローラー２７である場合を例にとり説明したが、これに限定されず、例えば、レジストローラー２７とは別体であってもよい。
【００７３】
また、上記の説明では、本発明に係るプログラムのコンピュータ読み取り可能な媒体として、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７４】
その他、画像形成装置の細部構成及び細部動作に関しても、本発明の趣旨を逸脱することのない範囲で適宜変更可能である。
【符号の説明】
【００７５】
１００  画像形成装置
１１  制御部
１２  記憶部
１３  通信部
１４  操作部
ＳＣ  原稿読取装置
１０  画像形成部
９  二次転写ローラー
２０  用紙搬送部
２７  レジストローラー
３１  反転ローラー
３２  搬送ローラー
３５、３６  屈曲部
５０  定着装置
６１  レジストセンサー
６２  第１の位置検知センサー
６３  第２の位置検知センサー
６４  環境センサー
Ｒ１  画像形成経路
Ｒ２  反転経路
Ｒ２１  第１経路
Ｒ２２  第２経路
Ｒ２３  合流経路
【図１】
2019026430.tif 000003
【図２】
2019026430.tif 000004
【図３】
2019026430.tif 000005
【図４】
2019026430.tif 000006
【図５】
2019026430.tif 000007
【図６】
2019026430.tif 000008
【図７】
2019026430.tif 000009
【図８】
2019026430.tif 000010